(57)【特許請求の範囲】
【請求項１】
同じ軸を共有する２組の滑車とそれぞれの滑車の両側に該滑車よりも大径の回転体が回転自由に設けられた構造のロープの捩れ除去機構と、ロープ導入孔およびロープ排出孔が設けられた捩れ除去機構のカバーからなることを特徴とする防鳥ネット開閉装置。
【請求項２】
捩れ除去機構のカバーに設けられている滑車の軸を保持する孔が楕円形であることを特徴とする請求項１に記載の防鳥ネット開閉装置。
【請求項３】
ロープ導入孔の前部にロープ導入ガイドが設けられていることを特徴とする請求項１または２に記載の防鳥ネット開閉装置。
【発明の詳細な説明】
【技術分野】
【０００１】
本願発明は、田畑や果樹園で栽培する農産物を鳥類の害から守るための装置の一種である。さらに詳しくは、本願発明は田畑や果樹園で育成される種々の農産物を鳥類の害から守るために施工されている防鳥ネットの天井ネットを簡単に開閉できる装置に関する。
【背景技術】
【０００２】
穀物、果実、野菜等の農作物の鳥類による毎年の被害は甚大である。農作物を鳥類の害から守るための装置として、案山子、光反射シート、爆音、目玉バルーン、電磁波の応用、鳥類の死骸や特異な臭気や刺激性のある食べ物を与える等の種々の装置が知られているが、これらの装置はいずれも最初は鳥類を寄せ付けない効果が認められるが鳥類の学習や慣れにより当初の農作物を鳥類から保護するという効果は次第に小さくなってしまう。
そこで、農作物の鳥類被害に対する効果的な方法として、対象となる耕作部分の全体をネットで覆う、いわゆる防鳥ネットを使用する方法が最も安全で効率的な方法として広く知られている。この防鳥ネットは耕作地に単にネットを被覆すれば良いというものではなく、被害環境に適用するように種々の改良がおこなわれている。例えば、蓮栽培用泥田上に簡単に展開でき、強風による蓮の損傷を防ぐとともに、水鳥の食害から守るために好適なもの（特許文献１）、また防鳥ネットの取り付け作業を円滑かつ迅速に行うことができるとともに防鳥効果に適した高さや農作業に適した高さを容易に確保できるようにした装置（特許文献２）、農作物や鳥類に損害を与えることが少なく、展開し易く取り外し易い防鳥ネット（特許文献３）、安価で設置および撤去が容易にできると共に、撤去した部材の保管にも場所を取らないような防鳥ネット（特許文献４）、さらには軽量であるにもかかわらず台風によっても倒壊せず作業性が良好で開閉が容易な防鳥ネット（特許文献５）等の工夫が凝らされた防鳥ネットが知られている。
【先行技術文献】
【特許文献】
【０００３】
【特許文献１】特開平０９−０２３８５８２号公報
【特許文献２】特開２００５−０００１１６号公報
【特許文献３】特開２００７−０４３９３３号公報
【特許文献４】特開２００６−１６６７２３号公報
【特許文献５】実用新案登録第３１０６０５６号公報
【発明の概要】
【発明が解決しようとする課題】
【０００４】
農作物を鳥類の被害から防ぐための方法として、防鳥ネットを用いることは効果的な手段であるが、防鳥ネットで田畑や果樹園の耕作面積の全体、すなわち、田畑や果樹園の天井部や側面の全体を覆う必要があり、天井部等の高い位置にあるネットを開閉するためには、かなりの時間と労力を要することになる。防鳥ネットの一般的な使用法としては農作物が生育している間は防鳥ネットを展開（防鳥ネットが張られた状態）したままであるが、太陽光の照射量を調整したい場合には、防鳥ネットを全開したり半開したりする調整が行われている。また、大量の積雪が予想されるような場合には、そのままにしておくと防鳥ネットが雪の重みで破れてしまうため、積雪が予想される日には予め防鳥ネットを一方の支持部に手繰り寄せて、防鳥ネットが積雪で破れるのを防ぐことが行われている。
このように、防鳥ネットは必ずしも農作物が生育している間は常に展開したままの状態ではなく、気候や栽培する果実や野菜等に対応して適宜閉じたり展開したりされている。
そして、高い位置にある天井ネットを閉じたり展開したりする方法としては、従来から防鳥ネットの端部に設けられたロープを引っ張ることにより防鳥ネットを閉じたり展開したりすることが行われている。ところが、防鳥ネットの端部に結び付けられているロープを引っ張るに際して、防鳥ネットを展開する場合には比較的順調に展開することができるが、防鳥ネットを手繰り寄せる場合には端部だけがめくれるような状態で手繰り寄せられるため防鳥ネット全体を効率よく手繰り寄せることができないという問題があった。
【課題を解決するための手段】
【０００５】
本出願人は従来からの課題を解決するものとして、防鳥ネットの天井部を被覆している天井ネットの上下を挟むようにして２本のロープを設けるとともに、この２本のロープを同時に巻き取る際に生じる２本のロープの捩れを解消して、捩れのない元の状態に戻すことができる「捩れ除去機構」を巻き取り装置の途中に設けることにより、防鳥ネットを絡ませることなく手繰り寄せられることを見出したものである。
本願第１の発明によれば、同じ軸を共有する２組の滑車とそれぞれの滑車の両側に該滑車よりも大径の回転体が回転自由に設けられた構造のロープの捩れ除去器具と、ロープ導入孔およびロープ排出孔が設けられた該捩れ除去器具のカバー及びロープ巻き取り装置からなる防鳥ネット開閉装置を提供する。
本願第２の発明によれば、捩れ除去器具のカバーに設けられている滑車保持孔が楕円形である上記の防鳥ネット開閉装置を提供する。
本願第３の発明によれば、ロープ導入孔の前部にロープ導入ガイドが設けられている上記の防鳥ネット開閉装置を提供する。
【発明の効果】
【０００６】
本願請求項第１の発明によれば、同じ軸を共有する２組の滑車とそれぞれの滑車の両側に該滑車よりも大径の回転体が回転自由に設けられた構造のロープの捩れ除去器具とロープ導入孔およびロープ排出孔が設けられた捩れ除去器具のカバー及びロープ巻き取り装置からなる防鳥ネット開閉装置を用いることにより高い位置に展開された防鳥ネットを絡ませることなく簡単に手繰り寄せることができるものである。
請求項第２の発明によれば、捩れ除去器具のカバーに設けられた滑車の軸を保持する滑車保持孔の形状を楕円形にすることにより、上記の効果に加え、さらにロープを巻き取る際のロープの負荷を調整することが可能となり、防鳥ネットやロープの捩れによって発生する不具合を制御することができる。
請求項第３の発明によれば、ロープ導入孔の前部にロープ導入ガイドを設けることにより、安定したロープの巻き取りを行うことができる。
【図面の簡単な説明】
【０００７】
【図１】防鳥ネット開閉装置の斜視図である。
【図２】防鳥ネットの機構を示す模式図である。
【図３】防鳥ネット開閉装置の使用態様を示す模式図である。
【図４】捩れ除去機構の全容を示した斜視図である。
【図５】捩れ除去機構の内部の状態を模式的に示したものである。
【図６】回転体のそれぞれが分離可能であることを示した模式図である。
【図７】捩れ除去機構に設けられた滑車の軸を保持する楕円形の孔の動きを示す模式図である。
【発明を実施するための形態】
【０００８】
従来の方法で防鳥ネットを開閉するに際しては、防鳥ネットの端部に設けられたロープを引きながら防鳥ネットを開閉する方法が用いられていたが、この様な方法では、防鳥ネットを展開する場合は問題がないが、展開された防鳥ネットを手繰り寄せる（防鳥ネットが閉じられた状態）場合は、防鳥ネットの端部だけが引っ張られるため防鳥ネットが２つに折り畳まれた状態となりながら引っ張られて防鳥ネットを均等に手繰り寄せることができないという問題があった。本願発明は上記の課題を解決できる防鳥ネット開閉装置を提供するものであり、防鳥ネットを上下から挟む様にして設けられた２本のロープと該２本のロープに捩れを生じさせることなく巻き取ることができる捩れ除去器具が設けられている点に特徴を有するものである。なお、防鳥ネットのどちら側からも巻き取ることができるような装置にする場合は防鳥ネットを上下から挟むように設けられた２本のロープを巻き取る装置と１本のロープを巻き取る装置をそれぞれ相対する位置に設けることになる。
本願発明の防鳥ネット開閉装置の詳細を図１〜図７に従って具体的に説明する。
【０００９】
図１は本願発明の防鳥ネット開閉装置をネット支持棒に取り付けた状態を示した斜視図であるが、この斜視図で示されている防鳥ネット開閉装置は防鳥ネットの天井部を覆うための上面ネットを上下から挟むように設けられた２本のロープが捩れ除去機構を経由して巻き取り装置で２本のロープを巻き取ることにより防鳥ネットを手繰り寄せる本願発明の態様を示している。図１における（１）は防鳥ネットであるが、この防鳥ネット（１）には２本のロープ（３）を巻き取る際に位置が移動しないように、リング状のロープ支持具が所定間隔に設けられていることが好ましい。また（２）は該防鳥ネットを展開するために設けられた横方向と縦方向に設置された防鳥ネット支持棒である。そして（３）は、防鳥ネット（１）を手繰り寄せて防鳥ネット（１）を閉じた状態（防鳥ネットが展開されていない状態）にするために設けられた２本のロープであり、この２本のロープは防鳥ネット（１）の天井部を覆う上面ネットを上下から挟むようにして設けられている。
なお、防鳥ネット（１）を展開する場合は防鳥ネットを手繰り寄せる場合と異なり防鳥ネットが弛んだり団子状になったりすることがなく、防鳥ネット（１）を巻き取るための装置の反対側に設けられている巻き取り装置を用いて１本のロープ（４）を巻き取るだけで防鳥ネット（１）は簡単に展開させることができる。
【００１０】
図２は本願発明の防鳥ネット開閉装置において、防鳥ネットを展開および手繰り寄せる機構を模式的に記載したものである。図２からも明らかなように、一方の防鳥ネット支持棒（２）には２本のロープ（３）を巻き取るための巻き取り装置（７）が設けられており、他方の防鳥ネット支持棒（２）には防鳥ネットの端部に係止された１本のロープ（４）を巻き取るための巻き取り装置（８）が設けられている。また、図２の（５）（６）で示されているものは、本願発明におけるきわめて重要な要素であるロープを巻き取る際に生じるロープの捩れ（よじれ）を除去するために設けられた捩れ除去機構であり、この捩れ除去機構（５）（６）は、捩れ除去器具と該捩れ除去器具のカバーから構成されている。
本願発明の防鳥ネット開閉装置は、２本のロープ（３）を巻き取り装置（７）と１本のロープ（４）巻き取り装置（８）を交互に作動させることにより、ロープ（３）（４）を巻き取り、防鳥ネット（１）を開閉するものであるが、この図２に模式的に記載されている防鳥ネット開閉装置を斜視的に示したものが図３である。なお、図３の（Ａ）は、防鳥ネット（１）を展開するために設けられた１本のロープ（４）が防鳥ネット（１）の端部に係止具（１７）で係止されている態様を分かり易く示したものである。また（９）は、２本のロープ（３）を巻き取る際に２本のロープ（３）の位置が左右に移動しないように防鳥ネット（１）に設けられた環状のロープ支持具である。なお、図３の（５）（６）で示されているものは、ロープ（３）（４）を巻き取る際に生じるロープ（３）（４）の捩れを除去するために設けられた捩れ除去機構である。
【００１１】
図４は、防鳥ネットを挟んだ２本のロープ（３）を巻き取るに先だって、２本のロープ（３）の捩れを除去するための捩れ除去機構（５）を拡大した斜視図であり、該捩れ除去機構（５）の内部には、特殊な構造をした複数の滑車が挿入されている。そして、この捩れ除去機構（５）には２本のロープ（３）を巻き取るための２つのロープ導入孔（１０）と２つのロープ排出孔（１１）が設けられている。また、この捩れ除去機構（５）の先端部には防鳥ネット支持棒に取り付けるための固定具（１２）が設けられている。また、図４には示されていないが、ロープ導入孔（１０）の前には２本のロープ（３）を安定に導入するためのガイドが設けられていることが好ましい。また、この固定具（１２）を設ける部位は任意であり、垂直方向に設けられた防鳥ネット支持棒に取り付けられてもよいし、水平方向に設けられた防鳥ネット支持棒に取り付けられてもよい。また、本願発明は捩れ除去器具を覆うカバー部に滑車の軸（１３）を保持するための楕円形の孔（１４）が設けられている点にも特徴を有しているが、この点については図７により後述する。
図５は捩れ除去機構（５）のカバーを開けて内部の状態を模式的に示したものである。図５に示されているように２本のロープ（３）はそれぞれ捩れ除去器具（１５）（１６）に支持されて巻き取り装置に移送される。この捩れ除去器具（１５）（１６）の外観は一般に使用されている滑車と類似しているが、本願発明の捩れ除去器具（１５）（１６）は、図６に記載されているように２本のロープ（３）を移送するための滑車と該滑車の両側に該滑車より径の大きい大径回転体が滑車と別々に回転することができるという従来にはない構造を有している。そして、滑車と滑車より径の大きい大径回転体がそれぞれ自由に回転できるという構造が本願発明の捩れ除去機構の「遊び」としての機能を奏している。
【００１２】
図６は本願発明の捩れ除去機構が滑車と大径回転体が分離可能でそれぞれが独立して回転できるものであることを説明するために模式的に記載したものである。捩れ除去機構として使用する時は図５に示されているようにそれぞれが寄せ合わされるが、滑車と側面の大径体が一体的に成形されている通常の滑車とは異なり滑車（１５ａ）（１６ａ）と該滑車より径の大きい大径回転体（１５ｂ）（１６ｂ）が別々に回転できるようになっている。なお、大径回転体（１５ｂ）と大径回転体（１６ｂ）が互いに接触したり、大径回転体とケースが接触したりして滑車や大径回転体が円滑に回転しないような場合には滑車の軸（１３）の端部や中央部に適当なストッパーを設けてもよい。本願発明は、この様な構造を有することで、滑車（１５ａ）（１６ａ）と大径回転体（１５ｂ）（１６ｂ）の間に一種の「遊び」が形成されることになる。そして、この「遊び」が２本のロープ（３）を巻き取るに際して生じる捩れを除去してくれるのである。また、本願発明の捩れ除去機構（５）は図６に示されている様な特殊な滑車が用いられている点にのみ特徴を有するのではなく、図７に示されているように、滑車の軸（１３）を保持する孔が楕円形（１４）をしていることによりさらに「遊び」が付加されることになる。すなわち、本願発明の捩れ除去機構（５）のカバーに楕円形の「遊び」が形成されていることにより滑車の軸（１３）は楕円形の範囲で移動することにより、２本のロープ（３）の捩れを除去しながら巻き取り装置に巻き取られることになる。
【００１３】
このように、本願発明は、滑車と該滑車より大径の大径回転体が滑車に対して自由に回転ができるように設けられているとともに滑車の軸を支える孔が楕円形に設けられた捩れ除去機構を設けることにより、ロープを巻き取るに際し発生するロープの捩れを効率的に除去しながら防鳥ネットを手繰り寄せることができるものである。
なお、本願明細書では主として２本のロープを巻き取るための滑車の態様について説明したが、２本のロープを巻き取るための滑車の反対側には、当然に防鳥ネットを展開するための１本のロープを巻き取るための滑車が設けられている。ただ、防鳥ネットを展開するために設けられている１本のロープを巻き取るのは２本のロープを巻き取りながら防鳥ネットを手繰り寄せるのとは異なり防鳥ネットの端部を引っ張るだけであり、詳細な説明を省略した。なお、防鳥ネットの双方から２本のロープを巻き取るための滑車を設けて防鳥ネットをどちらからも開閉可能にすることもできることは言うまでもない。
【産業上の利用可能性】
【００１４】
農産物の鳥類による被害は甚大である。本願発明は田畑や果樹園で育成される種々の農産物を鳥類の害から守るために施工されている防鳥用ネットの天井ネットを簡単に開閉できる装置であり、穀物、果実、野菜等の農作物の栽培にとって効果的な手段である。
【符号の説明】
【００１５】
１  防鳥ネット
２  防鳥ネット支持棒
３  ２本のロープ
４  １本のロープ
５  捩れ除去機構
６  捩れ除去機構
７  巻き取り装置
８  巻き取り装置
９  ロープ支持具
１０  ロープ導入孔
１１  ロープ排出孔
１２  固定具
１３  軸
１４  滑車の軸を保持する楕円形の孔
１５  捩れ除去器具
１５ａ  滑車
１５ｂ  大径回転体
１６  捩れ除去器具
１６ａ  滑車
１６ｂ  大径回転体
１７  係止具
【図１】
0005498897.tif 000002
【図２】
0005498897.tif 000003
【図３】
0005498897.tif 000004
【図４】
0005498897.tif 000005
【図５】
0005498897.tif 000006
【図６】
0005498897.tif 000007
【図７】
0005498897.tif 000008